(57)【要約】【課題】無線通信端末が複数の無線方式に対応する複数の無線回路を備える場合に、１つのＲＦコネクタで無線通信端末の外部から、複数の無線回路のそれぞれに対する検査を可能としつつも、実装面積の増大や、部品レイアウトの制約の発生を抑制し、無線通信端末の大型化を抑制する。【解決手段】無線通信端末１は、複数のアンテナ２と、複数のアンテナ２に対応する複数の無線回路３と、複数の無線回路３の検査を行うためのＲＦコネクタ４と、複数の無線回路３のうちから、１つの無線回路を選択してＲＦコネクタ４に接続するスイッチ群５と、を備える。【選択図】図１
2014138192.tif 000002
【特許請求の範囲】
【請求項１】
複数のアンテナと、
前記複数のアンテナのそれぞれに対応する複数の無線回路と、
前記複数の無線回路の検査を行うための１つのＲＦコネクタと、
前記複数の無線回路のうちから、１つの無線回路を選択して前記ＲＦコネクタに接続するスイッチ群と、
を備える無線通信端末。
【請求項２】
前記スイッチ群を切り替える切替信号に基づいて、前記ＲＦコネクタから、前記複数の無線回路のうちから選択された１つの無線回路までの、系統に切り替える切替制御部
を備える請求項１に記載の無線通信端末。
【請求項３】
複数のアンテナと、
前記複数のアンテナのそれぞれに対応する複数の無線回路と、
前記複数の無線回路の検査を行うための１つのＲＦコネクタと、
前記複数の無線回路のうちから、１つの無線回路を選択して前記ＲＦコネクタに接続するスイッチ群と、
前記スイッチ群を切り替える切替信号に基づいて、前記ＲＦコネクタから、前記複数の無線回路のうちから選択された１つの無線回路までの、系統に切り替える切替制御部と
を備える無線通信端末と、
前記無線通信端末の前記ＲＦコネクタに接続された測定器と、
前記ＲＦコネクタから前記スイッチ群までの、それぞれの線路ロスの値を保存するメモリと、
前記切替信号を前記切替制御部に送信するとともに、前記測定器で測定した送信信号レベルと前記メモリに保存された前記線路ロスの値とに基づいて、前記複数の無線回路の無線回路ごとに線路ロスの補正を行い、前記複数のアンテナのうち各無線回路に対応するアンテナ端における送信信号レベルを算出する制御部と、
を備える測定調整手段と、
を具備する無線通信システム。
【発明の詳細な説明】
【技術分野】
【０００１】
本発明は、無線通信端末及び無線通信システムに係り、特に複数の無線回路を備える携帯電話機、スマートフォン等の無線通信端末及びこれを利用した無線通信システムに関する。
【背景技術】
【０００２】
特許文献１には、複数のアンテナから構成されるアダプティブアレイアンテナを備えた基地局装置において、複数のアンテナの中で無線通信に用いるアンテナとアンテナ系に関するキャリブレーション処理を実行するために用いるアンテナの割り当てを切り替えるアンテナ割り当て切り替え手段と、割り当てられたアンテナを用いてアンテナ系に関するキャリブレーション処理を実行するアンテナキャリブレーション処理実行手段と、を備えるようにすることが記載されている。この基地局装置によれば、運用中にアンテナのキャリブレーションに関する特性が変化するような場合においても、適切なアンテナキャリブレーションを実現することができる。
【先行技術文献】
【特許文献】
【０００３】
【特許文献１】特開２００５−２１０３６４号公報
【発明の概要】
【発明が解決しようとする課題】
【０００４】
しかしながら、最近の携帯電話機、スマートフォン等の無線通信端末は、セルラー回路、ＷＬＡＮ（Ｗｉｒｅｌｅｓｓ  Ｌｏｃａｌ  Ａｒｅａ  Ｎｅｔｗｏｒｋ）回路、ＬＴＥ（Ｌｏｎｇ  Ｔｅｒｍ  Ｅｖｏｌｕｔｉｏｎ）回路、ＧＰＳ（Ｇｌｏｂａｌ  Ｐｏｓｉｔｉｏｎｉｎｇ  Ｓｙｓｔｅｍ）回路等の多くの無線通信方式に対応する複数の無線回路を無線通信端末の内部に備えている。このため、上記特許文献１の基地局装置のように、無線通信端末の内部でこれらの複数の無線回路の検査（キャリブレーション）を実施していたのでは、新たな無線通信方式に対応する無線回路が増えた場合に即座に対応できないという問題があった。
【０００５】
そこで、無線通信端末の外部で無線回路の検査を実施するためには、信号を無線通信端末の外部に取り出すためのＲＦ（Ｒａｄｉｏ  Ｆｒｅｑｕｅｎｃｙ）コネクタが必要となる。無線通信端末にＲＦコネクタを設ければ、工場で無線回路の送信電力（送信信号レベル）や受信感度（受信信号レベル）などの検査を行うことができる。
【０００６】
しかし、複数のアンテナに対応する複数の無線回路を備える無線通信端末の場合、複数の無線回路のそれぞれに対応するＲＦコネクタを備えるようにすると、アンテナ又は無線回路の数だけＲＦコネクタが必要となる（図７参照）。このため、実装面積が増大したり、部品レイアウトに制約が生じたりするため、無線通信端末の小型化ができないという問題があった。
【０００７】
本発明は、このような従来の問題に鑑みてなされたものであり、無線通信端末が複数の無線回路を備える場合に、１つのＲＦコネクタで無線通信端末の外部から、複数の無線回路のそれぞれに対する検査を可能とすることにより、実装面積の増大や、部品レイアウトの制約の発生を抑制し、無線通信端末の大型化を抑制する無線通信端末、及び、これを利用した無線通信システムを提供することを目的とする。
【課題を解決するための手段】
【０００８】
前記従来の課題を解決するために、本発明の無線通信端末は、複数のアンテナと、前記複数のアンテナのそれぞれに対応する複数の無線回路と、前記複数の無線回路の検査を行うための１つのＲＦコネクタと、前記複数の無線回路のうちから、１つの無線回路を選択して前記ＲＦコネクタに接続するスイッチ群と、を備える。
【０００９】
この構成により、本発明の無線通信端末は、無線通信端末が複数の無線回路を備える場合に、１つのＲＦコネクタで無線通信端末の外部から、複数の無線回路の検査を可能とすることにより、実装面積の増大や、部品レイアウトの制約の発生を抑制し、無線通信端末の大型化を抑制することができる。
【００１０】
また、本発明の無線通信端末は、さらに、前記スイッチ群を切り替える切替信号に基づいて、前記ＲＦコネクタから、前記複数の無線回路のうちから選択された１つの無線回路までの、系統に切り替える切替制御部を備えるようにすることもできる。
【００１１】
この構成により、本発明の無線通信端末は、スイッチ群を切り替える切替信号に基づいてスイッチを切替えることにより、１つのＲＦコネクタで複数の無線回路の検査を行うことができる。
【００１２】
また、本発明の無線通信システムは、複数のアンテナと、前記複数のアンテナのそれぞれに対応する複数の無線回路と、前記複数の無線回路の検査を行うための１つのＲＦコネクタと、前記複数の無線回路のうちから、１つの無線回路を選択して前記ＲＦコネクタに接続するスイッチ群と、前記スイッチ群を切り替える切替信号に基づいて、前記ＲＦコネクタから、前記複数の無線回路のうちから選択された１つの無線回路までの、系統に切り替える切替制御部とを備える無線通信端末と、前記無線通信端末の前記ＲＦコネクタに接続された測定器と、前記ＲＦコネクタから前記スイッチ群までの、それぞれの線路ロスの値を保存するメモリと、前記切替信号を前記切替制御部に送信するとともに、前記測定器で測定した送信信号レベルと前記メモリに保存された前記線路ロスの値とに基づいて、前記複数の無線回路の無線回路ごとに線路ロスの補正を行い、前記複数のアンテナのうち各無線回路に対応するアンテナ端における送信信号レベルを算出する制御部と、を備える測定調整手段と、を具備する。
【００１３】
この構成により、本発明の無線通信システムは、無線通信端末が複数の無線回路を備える場合に、１つのＲＦコネクタで無線通信端末の外部から、複数の無線回路の検査を可能とすることにより、実装面積の増大や、部品レイアウトの制約の発生を抑制し、無線通信端末の大型化を抑制することができる。
【発明の効果】
【００１４】
本発明の無線通信端末及び無線通信システムによれば、無線通信端末が複数の無線回路を備える場合に、１つのＲＦコネクタで無線通信端末の外部から、複数の無線回路の検査を可能とすることにより、実装面積の増大や、部品レイアウトの制約の発生を抑制し、無線通信端末の大型化を抑制することができる。
【図面の簡単な説明】
【００１５】
【図１】本発明の実施の形態における無線通信システムの概略構成図
【図２】本発明の実施の形態１における、５つのアンテナを搭載した無線通信端末において、５つの無線通信方式の内、４つの無線通信方式の接続系統を切り替えて、５つのアンテナに対応する無線回路の検査を行う場合のスイッチ群の動作説明図
【図３】本発明の実施の形態２における、３つのアンテナを搭載した無線通信端末において、３つの無線通信方式の内、２つの無線通信方式の接続系統を切り替えて、３つのアンテナに対応する無線回路の検査を行う場合のスイッチ群の動作説明図
【図４】本発明の実施の形態３における、４つのアンテナを搭載した無線通信端末において、４つの無線通信方式の内、３つの無線通信方式の接続系統を切り替えて、４つのアンテナに対応する無線回路の検査を行う場合のスイッチ群の動作説明図
【図５】本発明の実施の形態１における、４つのアンテナを搭載した無線通信端末において、４つの無線通信方式の内、３つの無線通信方式の接続系統を切り替えて、４つのアンテナに対応する無線回路の検査を行う場合のスイッチ群の動作説明図
【図６】本発明の実施の形態１における、５つのアンテナを搭載した無線通信端末において、５つの無線通信方式の内、４つの無線通信方式の接続系統を切り替えて、５つのアンテナに対応する無線回路の検査を行う場合のスイッチ群の動作説明図
【図７】従来のスイッチ群の動作説明図
【発明を実施するための形態】
【００１６】
以下、本発明の実施の形態について説明する。
【００１７】
図１は、本発明の実施の形態における無線通信システムの概略構成図である。
【００１８】
本発明の実施の形態における無線通信システムは、図１に示すように、無線通信端末１と測定調整手段１００とを備える。
【００１９】
無線通信端末１は、複数のアンテナ２と複数の無線回路（ＲＦ回路群）３とＲＦコネクタ４とスイッチ群５とを備える。無線通信端末１は、さらに、切替制御部６を備えるようにすることもできる。
【００２０】
複数のアンテナ２は、例えば、セルラー、ＷＬＡＮ、ＬＴＥ、ＧＰＳ等の無線方式に対応する複数のアンテナである。
【００２１】
複数の無線回路３は、複数のアンテナ２のそれぞれに対応する無線回路である。複数の無線回路３は、例えば、セルラー回路や、ＷＬＡＮ回路、ＬＴＥ回路、ＧＰＳ回路等の無線回路である。
【００２２】
ＲＦコネクタ４は、複数のアンテナ２に対応する複数の無線回路３の検査を行うために備えられる。具体的には、ＲＦコネクタ４は、複数の無線回路３のうちから選択された１つの無線回路の信号を、無線通信端末１の外部に取り出すための端子である。
【００２３】
スイッチ群５は、複数の無線回路３のうちから、１つの無線回路を選択してＲＦコネクタ４に接続する。
【００２４】
切替制御部６は、パーソナルコンピュータ１１の制御部１４からのスイッチ群５を切り替える切替信号に基づいて、複数の無線回路３のうちから選択された１つの無線回路からＲＦコネクタ４までの、系統に切り替える。また、切替制御部６は、パーソナルコンピュータ１１の制御部１４からのコマンドに基づいて、複数の無線回路３のうちから選択された１つの無線回路の送信電力（送信信号レベル）を設定したり、受信信号レベルの値を返信する。
【００２５】
測定調整手段１００は、測定器１２とパーソナルコンピュータ１１とを備える。パーソナルコンピュータ１１は、メモリ１３と制御部１４とを備える。
【００２６】
測定器１２は、無線通信端末１のＲＦコネクタ４にケーブル等を介して接続される。そして、測定器１２は、送信信号レベル等を測定する。
【００２７】
メモリ１３は、ＲＦコネクタ４から、複数のアンテナ２又は複数の無線回路３までの、それぞれの線路ロスの値を保存するために用いられる。
【００２８】
制御部１４は、ＵＳＢ等のケーブルを介して無線通信端末１の切替制御部６と接続される。また、制御部１４は、ＧＰＩＢ（Ｇｅｎｅｒａｌ  Ｐｕｒｐｏｓｅ  Ｉｎｔｅｒｆａｃｅ  Ｂｕｓ）等のケーブルを介して測定器１２と接続される。そして、測定器１２から送信信号レベル等の測定値等を受信する。また、制御部１４は、切替制御部６に対して、スイッチ群５を、複数の無線回路３のうちから選択された１つの無線回路からＲＦコネクタ４までの、系統に切り替えさせるための切替信号を送信する。また、制御部１４は、切替制御部６に対して、複数の無線回路３のうちから選択された１つの無線回路の送信電力（送信信号レベル）を設定させたり、受信信号レベルの値を返信させたりするコマンドを送信する。さらに、制御部１４は、測定器１２で測定した送信信号レベルとメモリ１３に予め保存された線路ロスの値との差分を計算して、複数の無線回路３ごとに線路ロスの補正を行い、その無線回路に対応するアンテナ端での送信信号レベル等を求める。そして、求められた送信信号レベル等と、設定させた送信信号レベル等とを比較して、妥当か否かチェックする。
【００２９】
本実施の形態では、このように複数のアンテナにそれぞれ対応する無線回路の検査を１つのＲＦコネクタ４で行うことができるが、例えばアンテナ検査時のＲＦコネクタ４からスイッチ群５の各スイッチまでの線路距離が、アンテナ実使用時のスイッチ群５から複数のアンテナ２までの線路距離よりも長くなる等により、一般には、ＲＦコネクタ４からスイッチ群５の線路ロスを補正する必要が発生する。また、アンテナごとにスイッチまでの距離等が異なるため、アンテナもしくは対応する無線回路ごとに線路ロスを補正して無線回路の検査を行う必要がある。
【００３０】
次に、本実施の形態について、パーソナルコンピュータ１１と測定器１２を使って無線通信端末１の各アンテナに対応する無線回路の検査を行う動作を図１で説明する。
【００３１】
各アンテナに対応する無線回路の送信信号レベルを測定する場合は、パーソナルコンピュータ１１の制御部１４から例えばＵＳＢケーブルなどのケーブルを介して、複数の無線回路３が複数のアンテナ２側またはＲＦコネクタ４側への切り替えを行うスイッチ切替信号（コマンド）と、その無線回路に所望の送信信号レベルを送信させるように設定させるコマンドとを切替制御部６に送信する。切替制御部６は制御部１４から送信されたスイッチ切替信号を受信して、スイッチ群５の各スイッチは、複数の無線回路３からスイッチ群５を経由して複数のアンテナ２までの系統から、複数の無線回路３からスイッチ群５を経由してＲＦコネクタ４までの系統に切替える。また、切替制御部６は、制御部１４から送信されたコマンドに基づいて、複数の無線回路３のうちの対応する無線回路に所定の送信信号レベルを送信させる。そして、スイッチ切替信号によって切替えられた系統で送信信号を複数の無線回路３、スイッチ群５、ＲＦコネクタ４という順に経由して測定器１２へ送信し、測定器１２で送信信号レベルを測定する。そして、測定器１２で測定した送信信号レベルとメモリ１３に予め保存された線路ロスの値との差分を計算して、線路ロスの補正を行い、その無線回路に対応するアンテナ端での送信信号レベルを求める。そして、制御部１４は、求められた送信信号レベルと、上記無線回路に送信した所定の送信信号レベルとを比較して、妥当か否かチェックする。
【００３２】
各アンテナに対応する無線回路の受信信号レベルを測定する場合は、測定器１２（もしくは測定器１２の代わりの信号源）から一定レベルの受信信号をＲＦコネクタ４、スイッチ群５、複数の無線回路３という順に伝送し、複数の無線回路３のうちの対応する無線回路に受信信号レベルを測定させる。スイッチ切替信号は送信信号を送信する場合と同じように切替制御部６に送信される。また、受信信号レベルの測定結果は、切替制御部６を介して、制御部１４へ送信される。そして、受信信号レベルの測定結果とメモリ１３に予め保存された線路ロスの値との差分を計算して、線路ロスの補正を行い、その無線回路に対応するアンテナ端での受信信号レベルを求める。そして、制御部１４は、求められた受信信号レベルと、測定器１２（もしくは測定器１２の代わりの信号源）から送信させた受信信号レベルとを比較して、妥当か否かチェックする。
【００３３】
このように、本実施の形態における無線通信端末及び無線通信システムによれば、各アンテナ若しくは対応する無線回路ごとに線路ロスを保存し、線路ロスを補正すれば、１つのＲＦコネクタ４でも、あたかも各アンテナ端で複数の無線回路の検査をしているように検査を行うことができる。また、１つのＲＦコネクタ４で無線通信端末１の外部から、複数の無線回路の検査を可能とすることにより、実装面積の増大や、部品レイアウトの制約の発生を抑制し、無線通信端末１の大型化を抑制することができる。
【００３４】
なお、この線路ロスは周波数帯域ごとに異なり、周波数帯域ごとにメモリ１３に記憶されている。制御部１４は周波数帯域によって線路ロスが異なる場合でもメモリ１３に周波数帯域ごとに記憶された線路ロス値から是正して線路ロスの補正をすることもできる。
【００３５】
無線通信方式の数に応じて接続系統を切替えて各アンテナに対応する無線回路の検査を行う方法の詳細については、例えば後述する図２〜図６などの具体的な方法がある。
【００３６】
（実施の形態１）
次に、本実施の形態１における４つの無線通信方式の接続系統を切替えて４つのアンテナに対応する４つの無線回路の検査を行う場合のスイッチ群の具体的な動作を、図２を用いて説明する。
【００３７】
本実施の形態１における無線通信システムの全体の構成は図１と同様であり、特に言及しない点については、図１の説明と同様である。
【００３８】
図２は、本実施の形態１における無線通信端末１の詳細ブロック図である。本実施の形態１では、図２に示す４つの無線通信方式に対応するＷＬＡＮ  ＭＩＭＯアンテナ、  ＧＰＳアンテナ、ＬＴＥ  Ｓｕｂ  アンテナ、ＷＬＡＮ／ＢＴ（Ｂｌｕｅｔｏｏｔｈ（登録商標））  アンテナの各アンテナについてスイッチ群のスイッチを切替えて端末の受信信号レベルもしくは送信信号レベルを測定する。
【００３９】
また、製品出荷時は、スイッチ群のスイッチＤＰ４Ｔ２５１のポートａ，ｂ（アンテナ側）に設定し、アンテナ検査時にはスイッチ群のスイッチＤＰ４Ｔ２５１のポートｃ，ｄ（ＲＦコネクタ側）に設定するようになっている。他のスイッチについても同様である。
【００４０】
パーソナルコンピュータ１１の制御部１４（図１参照）から送信されたスイッチ切替信号を切替制御部６が受信し、切替制御部６が複数の無線回路２３のＷＬＡＮ／ＢＴ（Ｂｌｕｅｔｏｏｔｈ（登録商標））  Ｓｕｂ回路にスイッチ切替信号を送信する。そしてＷＬＡＮ／ＢＴ  Ｓｕｂ回路から送信されたスイッチ切替信号によってスイッチＤＰ４Ｔ２５１をポートｅ―ポートｃに切替える。また、スイッチ切替信号を受信して複数の無線回路２３のＧＰＳ回路を介してスイッチＤＰ４Ｔ２５１をポートｆ―ポートｄに切替える。
【００４１】
そして、ＷＬＡＮ  ＭＩＭＯ  アンテナ検査時には、ＲＦコネクタ２４からスイッチＤＰ４Ｔ２５１までの経路で測定すればよいので、スイッチ切替信号によりスイッチＳＰ４Ｔ２５３のポートａに切替え、ＧＰＳアンテナ検査時は、スイッチ切替信号によりスイッチＳＰ４Ｔ２５３のポートｂに切替える。このスイッチＳＰ４Ｔ２５３のポートａまたはポートｂがスイッチＳＰｘＴ２５を介して、ＲＦコネクタ２４に接続される。
【００４２】
この切替動作によって、ＲＦコネクタ２４とスイッチＤＰ４Ｔ２５１の接続系統に切替えて、ＲＦコネクタ２４に接続された測定器１２で、ＷＬＡＮ  ＭＩＭＯ  アンテナとＧＰＳアンテナについてＲＦコネクタ２４からスイッチＤＰ４Ｔ２５１までの経路にて端末の受信信号レベルもしくは送信信号レベルを測定することができる。
【００４３】
同様の方法で、制御部１４から送信されたスイッチ切替信号を切替制御部６が受信し、切替制御部６が複数の無線回路３のＬＴＥ  ｓｕｂ  ／Ｄｉｖｅｒｓｉｔｙ回路にスイッチ切替信号を送信する。そしてＬＴＥ  ｓｕｂ  ／Ｄｉｖｅｒｓｉｔｙ回路から送信されたスイッチ切替信号によってスイッチＤＰ４Ｔ２５２をポートｅ―ポートａに切替える。また、スイッチ切替信号を受信して複数の無線回路３のＷＬＡＮ／ＢＴ（Ｂｌｕｅｔｏｏｔｈ（登録商標））  Ｍａｉｎ回路を介してスイッチＤＰ４Ｔ２５２をポートｆ―ポートｂに切替える。
【００４４】
そして、ＬＴＥ  Ｓｕｂ  アンテナ検査時は、スイッチ切替信号によりスイッチＳＰ４Ｔ２５３のポートｃに切替え、ＷＬＡＮ／ＢＴ  アンテナ検査時は、スイッチ切替信号によりスイッチＳＰ４Ｔ２５３のポートｄに切替える。このスイッチＳＰ４Ｔ２５３のポートｃまたはポートｄがスイッチＳＰｘＴ２５を介して、ＲＦコネクタ２４に接続される。
【００４５】
この切替動作によって、ＲＦコネクタ２４とスイッチＤＰ４Ｔ２５２の接続系統に切替えて、ＬＴＥ  Ｓｕｂ  アンテナとＷＬＡＮ／ＢＴ  アンテナについてＲＦコネクタ２４からスイッチＤＰ４Ｔ２５２までの経路にて端末の受信信号レベルもしくは送信信号レベルを測定することができる。
【００４６】
一方で、パーソナルコンピュータ１１の制御部１４（図１参照）では、測定器１２で測定された端末の送信信号レベルとメモリ１３に予め保存された線路ロスの差分とに基づいて、アンテナごとに線路ロスを補正し、それぞれの無線回路に対応するアンテナ端での送信信号レベル等を求める。そして、制御部１４は、求められた送信信号レベルと、設定させた送信信号レベル等とを比較して、妥当か否かチェックする。
【００４７】
他方、受信信号レベルを測定する場合は、測定器１２（もしくは測定器１２の代わりの信号源）から一定レベルの受信信号をＲＦコネクタ２４から入力し、複数の無線回路３のうちの対応する無線回路に受信信号レベルを測定させる。そして、受信信号レベルの測定結果とメモリ１３に予め保存された線路ロスの差分とに基づいて、線路ロスの補正を行い、その無線回路に対応するアンテナ端での受信信号レベル（もしくは受信感度）を求める。そして、制御部１４は、求められた受信信号レベルと、測定器１２（もしくは測定器１２の代わりの信号源）から送信させた受信信号レベルとを比較して、妥当か否かチェックする。
【００４８】
このように、本実施の形態１における無線通信端末１及び無線通信システムによれば、４つのアンテナ（ＷＬＡＮ  ＭＩＭＯアンテナ、  ＧＰＳアンテナ、ＬＴＥ  Ｓｕｂ  アンテナ、ＷＬＡＮ／ＢＴ  アンテナ）に対応する４つの無線回路の受信信号レベルもしくは送信信号レベルを算出して、これらの４つの無線回路の検査をすることができる。また、１つのＲＦコネクタ２４で無線通信端末１の外部から、４つの無線回路の検査を可能とすることにより、実装面積の増大や、部品レイアウトの制約の発生を抑制し、無線通信端末１の大型化を抑制することができる。
【００４９】
（実施の形態２）
次に、実施の形態２における２つの無線通信方式の接続系統を切替えて２つのアンテナに対応する２つの無線回路の検査を行う場合のスイッチ群の具体的な動作を、図３を用いて説明する。
【００５０】
本実施の形態２における無線通信システムの全体の構成は図１と同様であり、特に言及しない点については、図１の説明と同様である。
【００５１】
図３は、本実施の形態２における無線通信端末１の詳細ブロック図である。本実施の形態２では、図３に示す２つの無線通信方式に対応するＬＴＥ  Ｓｕｂ  アンテナ、ＷＬＡＮ／ＢＴ  アンテナの各アンテナについてスイッチ群のスイッチを切替えて端末の受信信号レベルもしくは送信信号レベルを測定する。
【００５２】
パーソナルコンピュータ１１の制御部１４（図１参照）から送信されたスイッチ切替信号を受信して、複数の無線回路３３のＬＴＥ  ｓｕｂ  ／Ｄｉｖｅｒｓｉｔｙ回路を介してスイッチ群のスイッチＤＰ４Ｔ３５１をポートｅ―ポートａに切替える。また、スイッチ切替信号を受信してＷＬＡＮ／ＢＴ回路を介してスイッチＤＰ４Ｔ３５１をポートｆ―ポートｂに切替える。
【００５３】
そして、ＬＴＥ  ｓｕｂ  アンテナ検査時は、スイッチ切替信号によりスイッチＳＰ４Ｔ３５１をポートａがスイッチＳＰｘＴ３５を介して、ＲＦコネクタ３４に接続される。ＷＬＡＮ／ＢＴ  アンテナ検査時は、スイッチ切替信号によりスイッチＳＰ４Ｔ３５３のポートｂがスイッチＳＰｘＴ３５を介して、ＲＦコネクタ３４に接続される。
【００５４】
この切替動作によって、ＲＦコネクタ３４とスイッチＤＰ４Ｔ３５１の接続系統に切替えて、ＬＴＥ  Ｓｕｂ  アンテナとＷＬＡＮ／ＢＴアンテナについてＲＦコネクタ３４からスイッチＤＰ４Ｔ３５１までの経路にて端末の受信信号レベルもしくは送信信号レベルを測定することができる。
【００５５】
一方で、パーソナルコンピュータ１１の制御部１４（図１参照）では、測定器１２で測定された端末の送信信号レベルとメモリ１３に予め保存された線路ロスの差分とに基づいて、アンテナごとに線路ロスを補正し、それぞれの無線回路に対応するアンテナ端での送信信号レベル等を求める。そして、制御部１４は、求められた送信信号レベルと、設定させた送信信号レベル等とを比較して、妥当か否かチェックする。
【００５６】
他方、受信信号レベルを測定する場合は、測定器１２（もしくは測定器１２の代わりの信号源）から一定レベルの受信信号をＲＦコネクタ３４から入力し、複数の無線回路３のうちの対応する無線回路に受信信号レベルを測定させる。そして、受信信号レベルの測定結果とメモリ１３に予め保存された線路ロスの差分とに基づいて、線路ロスの補正を行い、その無線回路に対応するアンテナ端での受信信号レベル（もしくは受信感度）を求める。そして、制御部１４は、求められた受信信号レベルと、測定器１２（もしくは測定器１２の代わりの信号源）から送信させた受信信号レベルとを比較して、妥当か否かチェックする。
【００５７】
このように、本実施の形態２における無線通信端末１及び無線通信システムによれば、２つのアンテナの（ＬＴＥ  Ｓｕｂ  アンテナ、ＷＬＡＮ／ＢＴ  アンテナ）に対応する２つの無線回路の受信信号レベルもしくは送信信号レベルを算出して、これらの２つの無線回路の検査をすることができる。また、１つのＲＦコネクタ３４で無線通信端末１の外部から、複数の無線回路の検査を可能とすることにより、実装面積の増大や、部品レイアウトの制約の発生を抑制し、無線通信端末１の大型化を抑制することができる。
【００５８】
（実施の形態３）
次に、実施の形態３における３つの無線通信方式の接続系統を切替えて３つのアンテナに対応する３つの無線回路の検査を行う場合のスイッチ群の具体的な動作を、図４を用いて説明する。
【００５９】
本実施の形態３における無線通信システムの全体の構成は図１と同様であり、特に言及しない点については、図１の説明と同様である。
【００６０】
図４は、本実施の形態３における無線通信端末１の詳細ブロック図である。本実施の形態３では、図４に示す３つの無線通信方式に対応するＬＴＥ  Ｓｕｂ  アンテナ、ＷＬＡＮ／ＢＴ  アンテナ、ＷＬＡＮ  ＭＩＭＯアンテナの各アンテナについてスイッチ群のスイッチを切替えて端末の受信信号レベルもしくは送信信号レベルを測定する。
【００６１】
パーソナルコンピュータ１１の制御部１４（図１参照）から送信されたスイッチ切替信号を受信して、複数の無線回路４３のＬＴＥ  ｓｕｂ  ／Ｄｉｖｅｒｓｉｔｙ回路を介してスイッチ群のスイッチＸ−ＤＰ４Ｔ４５１をポートｅ―ポートａに切替える。そして、ＬＴＥ  Ｓｕｂ  アンテナ検査時は、このスイッチＸ−ＤＰ４Ｔ４５１のポートａがスイッチＳＰｘＴ４５を介して、ＲＦコネクタ４４に接続される。
【００６２】
また、スイッチ切替信号を受信して複数の無線回路４３のＷＬＡＮ／ＢＴ  Ｍａｉｎ回路を介してスイッチ切替信号によりスイッチＳＰＤＴ４５２のポートａ−ポートｃを接続し、スイッチＸ−ＤＰ４Ｔ４５１をポートｆ―ポートｂに切替える。そして、ＷＬＡＮ／ＢＴ  アンテナ検査時は、このスイッチＸ−ＤＰ４Ｔ４５１のポートｂがスイッチＳＰｘＴ４５を介して、ＲＦコネクタ４４に接続される。
【００６３】
また、スイッチ切替信号を受信して複数の無線回路４３のＷＬＡＮ／ＢＴ  Ｓｕｂ回路を介してスイッチ切替信号によりスイッチＳＰＤＴ４５３のポートｆ−ポートｄを接続し、スイッチＳＰＤＴ４５２のポートｂ−ポートｃを接続し、スイッチＸ−ＤＰ４Ｔ４５１をポートｆ―ポートｂに切替える。そして、ＷＬＡＮ  ＭＩＭＯアンテナ検査時は、このスイッチＸ−ＤＰ４Ｔ４５１のポートｂがスイッチＳＰｘＴ４５を介して、ＲＦコネクタ４４に接続される。
【００６４】
ＲＦコネクタ４４とスイッチＤＰ４Ｔ４５１の接続系統に切替えて、ＬＴＥ  Ｓｕｂ  アンテナの場合はＲＦコネクタ４４からスイッチＤＰ４Ｔ４５１まで、ＷＬＡＮ／ＢＴ  アンテナの場合はＲＦコネクタ４４からスイッチＳＰＤＴ４５２まで、ＷＬＡＮ  ＭＩＭＯ  アンテナの場合はＲＦコネクタ４４からスイッチＳＰＤＴ４５３までの経路にて端末の受信信号レベルもしくは送信信号レベルを測定することができる。
【００６５】
一方で、パーソナルコンピュータ１１の制御部１４（図１参照）では、測定器１２で測定された端末の送信信号レベルとメモリ１３に予め保存された線路ロスの差分とに基づいて、アンテナごとに線路ロスを補正し、それぞれの無線回路に対応するアンテナ端での送信信号レベル等を求める。そして、制御部１４は、求められた送信信号レベルと、設定させた送信信号レベル等とを比較して、妥当か否かチェックする。
【００６６】
他方、受信信号レベルを測定する場合は、測定器１２（もしくは測定器１２の代わりの信号源）から一定レベルの受信信号をＲＦコネクタ４４から入力し、複数の無線回路３のうちの対応する無線回路に受信信号レベルを測定させる。そして、受信信号レベルの測定結果とメモリ１３に予め保存された線路ロスの差分とに基づいて、線路ロスの補正を行い、その無線回路に対応するアンテナ端での受信信号レベル（もしくは受信感度）を求める。そして、制御部１４は、求められた受信信号レベルと、測定器１２（もしくは測定器１２の代わりの信号源）から送信させた受信信号レベルとを比較して、妥当か否かチェックする。
【００６７】
このように、本実施の形態３における無線通信端末１及び無線通信システムによれば、３つのアンテナ（ＬＴＥ  Ｓｕｂ  アンテナ、ＷＬＡＮ／ＢＴ  アンテナ、ＷＬＡＮ  ＭＩＭＯアンテナ）に対応する３つの無線回路の受信信号レベルもしくは送信信号レベルを算出して、これらの３つの無線回路の検査をすることができる。また、１つのＲＦコネクタ４４で無線通信端末１の外部から、複数の無線回路の検査を可能とすることにより、実装面積の増大や、部品レイアウトの制約の発生を抑制し、無線通信端末１の大型化を抑制することができる。
【００６８】
（実施の形態４）
次に、実施の形態４における３つの無線通信方式の接続系統を切替えて３つのアンテナに対応する４つの無線回路の検査を行う場合のスイッチ群の具体的な動作を、図５を用いて説明する。
【００６９】
本実施の形態４における無線通信システムの全体の構成は図１と同様であり、特に言及しない点については、図１の説明と同様である。
【００７０】
図５は、本実施の形態４における無線通信端末１の詳細ブロック図である。本実施の形態４では、図５に示す３つの無線通信方式に対応するＷＬＡＮ  ＭＩＭＯアンテナ、ＬＴＥ  Ｓｕｂ  アンテナ、ＷＬＡＮ／ＢＴ  アンテナの各アンテナについてスイッチ群のスイッチを切替えて端末の受信信号レベルもしくは送信信号レベルを測定する。
【００７１】
例えば無線通信端末１の筐体内のＷＬＡＮ／ＢＴ  アンテナとＬＴＥ  ｓｕｂアンテナの距離が大きい場合はこの図５のスイッチ群で構成される。
【００７２】
パーソナルコンピュータ１１の制御部１４（図１参照）から送信されたスイッチ切替信号を受信して、複数の無線回路５３のＬＴＥ  ｓｕｂ  ／Ｄｉｖｅｒｓｉｔｙ回路を介してスイッチ群のスイッチＤＰ４Ｔ５５１をポートｅ―ポートａに切替える。そして、ＬＴＥ  ｓｕｂアンテナ検査時は、このスイッチＤＰ４Ｔ５５１のポートａがスイッチＳＰｘＴ５５を介して、ＲＦコネクタ５４に接続される。
【００７３】
また、スイッチ切替信号を受信して複数の無線回路５３のＷＬＡＮ／ＢＴ  Ｍａｉｎ回路を介してスイッチＤＰ４Ｔ５５１をポートｆ―ポートｂに切替える。そして、ＷＬＡＮ／ＢＴアンテナ検査時は、このスイッチＤＰ４Ｔ５５１のポートｂがスイッチＳＰｘＴ５５を介して、ＲＦコネクタ５４に接続される。
【００７４】
また、スイッチ切替信号を受信して複数の無線回路５３のＷＬＡＮ／ＢＴ  Ｓｕｂ回路を介してスイッチＳＰＤＴ５５２のポートｃ−ポートｂを接続する。そして、ＷＬＡＮ／ＢＴ  アンテナは、このスイッチＳＰＤＴ５５２のポートｂがスイッチＳＰｘＴ５５を介して、ＲＦコネクタ５４に接続される。
【００７５】
ＲＦコネクタ４４とスイッチＤＰ４Ｔ５５１とスイッチＳＰＤＴ５５２のスイッチ群の接続系統に切替えて、ＬＴＥ  Ｓｕｂ  アンテナの場合はＲＦコネクタ５４からスイッチＤＰ４Ｔ５５１まで、ＷＬＡＮ／ＢＴ  アンテナの場合はＲＦコネクタ５４からスイッチＤＰ４Ｔ５５１まで、ＷＬＡＮ  ＭＩＭＯ  アンテナの場合はＲＦコネクタ５４からスイッチＳＰＤＴ５５２までの経路にて端末の受信信号レベルもしくは送信信号レベルを測定することができる。
【００７６】
一方で、パーソナルコンピュータ１１の制御部１４（図１参照）では、測定器１２で測定された端末の送信信号レベルとメモリ１３に予め保存された線路ロスの差分とに基づいて、アンテナごとに線路ロスを補正し、それぞれの無線回路に対応するアンテナ端での送信信号レベル等を求める。そして、制御部１４は、求められた送信信号レベルと、設定させた送信信号レベル等とを比較して、妥当か否かチェックする。
【００７７】
他方、受信信号レベルを測定する場合は、測定器１２（もしくは測定器１２の代わりの信号源）から一定レベルの受信信号をＲＦコネクタ５４から入力し、複数の無線回路３のうちの対応する無線回路に受信信号レベルを測定させる。そして、受信信号レベルの測定結果とメモリ１３に予め保存された線路ロスの差分とに基づいて、線路ロスの補正を行い、その無線回路に対応するアンテナ端での受信信号レベル（もしくは受信感度）を求める。そして、制御部１４は、求められた受信信号レベルと、測定器１２（もしくは測定器１２の代わりの信号源）から送信させた受信信号レベルとを比較して、妥当か否かチェックする。
【００７８】
このように、本実施の形態４における無線通信端末１及び無線通信システムによれば、３つのアンテナ（ＷＬＡＮ  ＭＩＭＯアンテナ、ＬＴＥ  Ｓｕｂ  アンテナ、ＷＬＡＮ／ＢＴ  アンテナ）に対応する３つの無線回路受信信号レベルもしくは送信信号レベルを算出して、これらの３つの無線回路の検査をすることができる。また、１つのＲＦコネクタ５４で無線通信端末１の外部から、複数の無線回路の検査を可能とすることにより、実装面積の増大や、部品レイアウトの制約の発生を抑制し、無線通信端末１の大型化を抑制することができる。
【００７９】
（実施の形態５）
次に、実施の形態５における４つの無線通信方式の接続系統を切替えて４つのアンテナに対応する無線回路の検査を行う場合のスイッチ群の具体的な動作を、図６を用いて説明する。
【００８０】
本実施の形態５における無線通信システムの全体の構成は図１と同様であり、特に言及しない点については、図１の説明と同様である。
【００８１】
図６は、本実施の形態５における無線通信端末１の詳細ブロック図である。本実施の形態５では、図６に示す４つの無線通信方式に対応するＷＬＡＮ  ＭＩＭＯアンテナ、  ＧＰＳアンテナ、ＬＴＥ  Ｓｕｂ  アンテナ、ＷＬＡＮ／ＢＴ  アンテナの各アンテナについてスイッチ群のスイッチを切替えて端末の受信信号レベルもしくは送信信号レベルを測定する。
【００８２】
なお、図６の場合はスイッチＳＰｘＴのポートを４つも使うため、基板実装面積が大きくなり、無線通信端末の小型化が十分できないが、スイッチＳＰｘＴの使用ポート数を減らして改良したものが前述した図２（実施の形態１）の方法である。
【００８３】
パーソナルコンピュータ１１の制御部１４（図１参照）から送信されたスイッチ切替信号を受信して、複数の無線回路６３のＬＴＥ  ｓｕｂ  ／Ｄｉｖｅｒｓｉｔｙ回路を介してスイッチ群のスイッチＤＰ４Ｔ６５１をポートｅ―ポートａに切替える。そして、ＬＴＥ  ｓｕｂ  アンテナ検査時は、このスイッチＤＰ４Ｔ６５１のポートａがスイッチＳＰｘＴ６５を介して、ＲＦコネクタ６４に接続される。
【００８４】
また、スイッチ切替信号を受信して複数の無線回路６３のＷＬＡＮ／ＢＴ  Ｍａｉｎ回路を介してスイッチＤＰ４Ｔ６５１をポートｆ―ポートｂに切替える。そして、ＷＬＡＮ／ＢＴ  アンテナ検査時は、このスイッチＤＰ４Ｔ６５１のポートｂがスイッチＳＰｘＴ６５を介して、ＲＦコネクタ６４に接続される。
【００８５】
スイッチ切替信号を受信して、複数の無線回路６３のＷＬＡＮ／ＢＴ  Ｓｕｂ回路を介してスイッチ群のスイッチＤＰ４Ｔ６５２をポートｅ―ポートｃに切替える。そして、ＷＬＡＮ  ＭＩＭＯアンテナ検査時は、このスイッチＤＰ４Ｔ６５２のポートｃがスイッチＳＰｘＴ６５を介して、ＲＦコネクタ６４に接続される。
【００８６】
スイッチ切替信号を受信して、ＧＰＳ回路の複数の無線回路６３を介してスイッチ群のスイッチＤＰ４Ｔ６５２をポートｅ―ポートｄに切替える。そして、ＧＰＳアンテナ検査時は、このスイッチＤＰ４Ｔ６５２のポートｄがスイッチＳＰｘＴ６５を介して、ＲＦコネクタ６４に接続される。
【００８７】
ＲＦコネクタ６４とスイッチＤＰ４Ｔ６５１、６５２のスイッチ群の接続系統に切替えて、ＬＴＥ  Ｓｕｂ  アンテナとＷＬＡＮ／ＢＴ  アンテナの場合はＲＦコネクタ６４からスイッチＤＰ４Ｔ６５１まで、ＷＬＡＮ  ＭＩＭＯ  アンテナとＧＰＳアンテナの場合はＲＦコネクタ６４からスイッチＳＰＤＴ６５２までの経路にて端末の受信信号レベルもしくは送信信号レベルを測定することができる。
【００８８】
一方で、パーソナルコンピュータ１１の制御部１４（図１参照）では、測定器１２で測定された端末の送信信号レベルとメモリ１３に予め保存された線路ロスの差分とに基づいて、アンテナごとに線路ロスを補正し、それぞれの無線回路に対応するアンテナ端での送信信号レベル等を求める。そして、制御部１４は、求められた送信信号レベルと、設定させた送信信号レベル等とを比較して、妥当か否かチェックする。
【００８９】
他方、受信信号レベルを測定する場合は、測定器１２（もしくは測定器１２の代わりの信号源）から一定レベルの受信信号をＲＦコネクタ６４から入力し、複数の無線回路３のうちの対応する無線回路に受信信号レベルを測定させる。そして、受信信号レベルの測定結果とメモリ１３に予め保存された線路ロスの差分とに基づいて、線路ロスの補正を行い、その無線回路に対応するアンテナ端での受信信号レベル（もしくは受信感度）を求める。そして、制御部１４は、求められた受信信号レベルと、測定器１２（もしくは測定器１２の代わりの信号源）から送信させた受信信号レベルとを比較して、妥当か否かチェックする。
【００９０】
このように、本実施の形態５における無線通信端末１及び無線通信システムによれば、４つのアンテナ（ＷＬＡＮ  ＭＩＭＯアンテナ、  ＧＰＳアンテナ、ＬＴＥ  Ｓｕｂ  アンテナ、ＷＬＡＮ／ＢＴ  アンテナ）に対応する２つの無線回路の受信信号レベルもしくは送信信号レベルを算出して、これらの２つの無線回路の検査をすることができる。また、１つのＲＦコネクタ６４で無線通信端末１の外部から、複数の無線回路の検査を可能とすることにより、実装面積の増大や、部品レイアウトの制約の発生を抑制し、無線通信端末１の大型化を抑制することができる。
【００９１】
なお、上記の各実施の形態では、制御部とメモリを外部のパーソナルコンピュータに設けたが、これらを無線通信端末に設け、無線通信端末内で各アンテナの線路ロスのデータをメモリに保存し、制御部で保存された線路ロスのデータをもとに各アンテナの線路ロスを補正するようにしてもよい。
【００９２】
また、上記の各実施の形態では、外部パーソナルコンピュータから送信されたスイッチ切替信号を切替制御部から複数の無線回路を経由してスイッチ群の各スイッチの切替を制御しているが、切替制御部から直接スイッチ群の各スイッチにスイッチ切替信号を送信してスイッチの切替制御をしてもよい。
【００９３】
また、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲において、上記実施形態における各構成要素を任意に組み合わせても良い。
【産業上の利用可能性】
【００９４】
本発明によれば、無線通信端末が複数の無線回路を備える場合に、無線通信端末の外部で、複数の無線回路のそれぞれに対する検査を可能としつつも、実装面積の増大や、部品レイアウトの制約の発生を抑制し、無線通信端末の大型化を抑制することができるので、複数のアンテナを備える携帯電話機、スマートフォン等の無線通信端末及びこれを利用した無線通信システム等として有用である。
【符号の説明】
【００９５】
１    無線通信端末
２    アンテナ（複数のアンテナ）
３、２３、３３、４３、５３、６３    複数の無線回路
４、２４、３４、４４、５４、６４    ＲＦコネクタ
５    スイッチ群
６    切替制御部
１１    パーソナルコンピュータ（測定調整手段のパーソナルコンピュータ）
１２    測定器（測定調整手段の測定器）
１３    メモリ
１４    制御部
１００    測定調整手段
【図１】
2014138192.tif 000003
【図２】
2014138192.tif 000004
【図３】
2014138192.tif 000005
【図４】
2014138192.tif 000006
【図５】
2014138192.tif 000007
【図６】
2014138192.tif 000008
【図７】
2014138192.tif 000009